(57)【要約】【課題】  第１回の遠心分離を行なった後のゴミ濃度が薄くなった気流を、更に遠心分離をすることで、ゴミと空気の分離を促進する電気掃除機を提供する。【解決手段】  ゴミは集塵部１の吸気流入口６から流入し（矢印ａ方向）、円形渦巻状の流路１３を通過することで遠心力が働き、第１の遠心分離部１４で外側の流路に殆どのゴミが第１の集塵室１１に分離される（矢印ｂ→ｃ→ｄ方向）。第１の遠心分離部１４で分離されなかった微細なごみは、狭い流路部１５で流路の半径を小さくし、更に流路を絞り部材１６で絞ることにより加速させた渦巻き流路により強い遠心力を加える（矢印ｅ→ｆ方向）。この強い遠心力を利用し、内側の流路で第２の遠心分離部１７で細塵を分離した（矢印ｈ方向）ゴミは第２の集塵部１２に溜められる。【選択図】      図２
2005204805.tif 000002
【特許請求の範囲】
【請求項１】
本体ケース内に集塵部、電動送風機収納部を有し、集塵部の集塵室で吸い取った塵挨と空気をサイクロン方式で分離する電気掃除機において、集塵部への流入口から同心円上に２重の渦巻状の流路を確保し、外側の流路で粗ゴミを分離し、内側の流路で細塵を分離するような構造としたことを特徴とする電気掃除機。
【請求項２】
本体ケース内に集塵部、電動送風機収納部を有し、集塵部の集塵室で吸い取った塵挨と空気をサイクロン方式で分離する電気掃除機において、２回の遠心分離を利用し、夫々の遠心分離に対応した集塵室を設けて集塵部を構成し、主にゴミが集塵される１回目の遠心分離後の集塵室のみを集塵部から取り外すことができる構造にしたことを特徴とする電気掃除機。
【請求項３】
本体ケース内に集塵部、電動送風機収納部を有し、集塵部の集塵室で吸い取った塵挨と空気をサイクロン方式で分離する電気掃除機において、集塵部への流入口から渦巻状の流路を利用し粗ゴミを分離し、分離後の空気と細塵をサイクロンを用いて更に分離するような構造としたことを特徴とする電気掃除機。
【請求項４】
本体ケース内に集塵部、電動送風機収納部を有し、集塵部の集塵室で吸い取った塵挨と空気をサイクロン方式で分離する電気掃除機において、集塵室の入口にゴミの舞い上がりを防止するための弾性材の弁を取付けた構造とすることを特徴とする電気掃除機。
【発明の詳細な説明】
【技術分野】
【０００１】
本発明は電気掃除機、特にサイクロン方式の電気掃除機に関する。
【背景技術】
【０００２】
遠心力でダストボックスにゴミを集めるサイクロン方式は、従前の紙パック式が紙繊維にゴミが目詰りするにつれて吸引力が落ちるのに対して、ゴミを遠心力により吸気の通り道の外に集めるため吸引力が落ちないという特徴があり、広く用いられている。
【０００３】
従来のサイクロン方式の電気掃除機は、集塵部において、遠心分離を利用してゴミと空気を分離する際、１回の遠心分離でゴミと空気を分離するものが主流であった。
【０００４】
また、公知のサイクロン式電気掃除機としては、安価な構成で特に繊維質塵埃の圧縮を実現し、使い勝手を向上させることを目的として、集塵ケースには、塵埃を遠心分離する分離室と、この分離室に設けられ電動送風機に連通する第１吸気部と、前記分離室に連通して塵埃を収容する塵埃収容室を設け、前記塵埃収容室には電動送風機に連通する第２吸気部を設けて塵埃収容室内の塵埃の圧縮を行うものがある（例えば、特許文献１参照）。
【特許文献１】特開２００３−５２５９０公報
【発明の開示】
【発明が解決しようとする課題】
【０００５】
従来のサイクロン方式の電気掃除機では、集塵部において、１回の遠心分離を利用してゴミと空気を分離する際、１回の遠心分離ではゴミの取り残しが発生し、ゴミと空気を完全に分離することは困難であった。そこで本発明は、第１回の遠心分離を行なった後のゴミ濃度が薄くなった気流を更に遠心分離をすることで、ゴミと空気の分離を促進することができ、また、２回の遠心分離を利用する場合でも、主にゴミを集塵している第１の集塵室のみを取り外す構造にすることにより、普段のゴミ捨て時に取り外す部品をコンパクト、軽量化することができ、無駄を省くことができる電気掃除機を提供することを目的とする。
【課題を解決するための手段】
【０００６】
上記課題を解決するために、本発明の請求項１に係る電気掃除機は、本体ケース内に集塵部、電動送風機収納部を有し、集塵部の集塵室で吸い取った塵挨と空気をサイクロン方式で分離する電気掃除機において、集塵部への流入口から同心円上に２重の渦巻状の流路を確保し、外側の流路で粗ゴミを分離し、内側の流路で細塵を分離するような構成とした。
【０００７】
こうして、電気掃除機の集塵部を上記のように構成することで、第１回の遠心分離を行なった後のゴミ濃度が薄くなった気流を更に遠心分離をすることで、ゴミと空気の分離を促進できる。
【０００８】
本発明の請求項２に係る電気掃除機は、本体ケース内に集塵部、電動送風機収納部を有し、集塵部の集塵室で吸い取った塵挨と空気をサイクロン方式で分離する電気掃除機において、２回の遠心分離を利用し、夫々の遠心分離に対応した集塵室を設けて集塵部を構成し、主にゴミが集塵される１回目の遠心分離後の集塵室のみを集塵部から取り外すことができる構成とした。
【０００９】
こうして、主にゴミを集塵している第１の集塵室のみを取り外す構造にすることにより、普段のゴミ捨て時に取り外す部品をコンパクト、軽量化することができ、無駄を省くことができる。このように、２回分離を利用して集塵室を分けているメリットを最大限活用することができる。
【００１０】
本発明の請求項３に係る電気掃除機は、本体ケース内に集塵部、電動送風機収納部を有し、集塵部の集塵室で吸い取った塵挨と空気をサイクロン方式で分離する電気掃除機において、集塵部への流入口から渦巻状の流路を利用し粗ゴミを分離し、分離後の空気と細塵をサイクロンを用いて更に分離するような構成とした。
【００１１】
こうして、電気掃除機の集塵部を構成することで、第１の遠心分離を行なった後のゴミ濃度が薄くなった気流を、更にサイクロン構造を用いて遠心分離をすることで、ゴミと空気の分離を促進することができる。
【００１２】
本発明の請求項４に係る電気掃除機は、本体ケース内に集塵部、電動送風機収納部を有し、集塵部の集塵室で吸い取った塵挨と空気をサイクロン方式で分離する電気掃除機において、集塵室の入口にゴミの舞い上がりを防止するための弾性材の弁を取付けた構成とした。
【００１３】
こうして、集塵室入口にゴム状の弁を設けることで、一度分離されたゴミの舞い上がりを押さえることができる。適度な弾性をもった素材の弁を用いることにより、集塵室から流路へのゴミの舞い上がりが抑制されるため、メッシュ部の目詰りが防止され、電動送風機のモータへの負荷が軽減される。
【発明の効果】
【００１４】
以上のように本発明の電気掃除機は、第１回の遠心分離を行なった後のゴミ濃度が薄くなった気流を更に遠心分離をすることで、ゴミと空気の分離を促進できる。また、主にゴミを集塵している第１の集塵室のみを取り外す構造にすることにより、普段のゴミ捨て時に取り外す部品をコンパクト、軽量化することができ、無駄を省くことができる。このように、２回分離を利用して集塵室を分けているメリットを最大限活用することができる。
【００１５】
更に、集塵室入口にゴム状の弁を設けることで、一度分離されたゴミの舞い上がりを押さえることができる。適度な弾性をもった素材の弁を用いることにより、集塵室から流路へのゴミの舞い上がりが抑制されるため、メッシュ部の目詰りが防止され、電動送風機９のモータへの負荷が軽減される。
【発明を実施するための最良の形態】
【００１６】
本発明の電気掃除機の実施形態について図を参照して説明する。図１には本発明の電気掃除機の本体断面図を示す。電気掃除機は集塵部と電動送風機収納部から構成され、１は集塵部、２は電動送風機収納部、３は本体ケース、４は下ケース、５は車輪、６は吸気流入口、７は微細塵補集フィルター、８は整流板、９は電動送風機、１０は集塵部に収納されるダストカップである。
【００１７】
集塵部において、遠心分離を利用してゴミと空気を分離する際、一度の遠心分離ではゴミの取り残しが発生し、ゴミと空気を完全に分離することは困難である。本発明はかかる欠点を解消するものであり、以下に本発明の実施態様を図面に基づき説明する。
【実施例１】
【００１８】
本発明の第１の実施態様を図２のダストカップ部１０の詳細図に基づき説明する。図２において、１１は第１の集塵室、１２は第２の集塵室、１３は円形渦巻状の流路、１４は第１の遠心分離部、１５は狭い流路部、１６は流路絞り部材、１７は第２の遠心分離部である。集塵部への吸気流入口６から同心円上に外側の流路と内側の流路との２重の渦巻き状の流路を形成する。
【００１９】
ゴミは集塵部１の吸気流入口６から流入し（矢印ａ方向）、円形渦巻状の流路１３を通過することで遠心力が働き、第１の遠心分離部１４で外側の流路に殆どのゴミが第１の集塵室１１に分離される（矢印ｂ→ｃ→ｄ方向）。第１の遠心分離部１４で分離されなかった微細なごみは、狭い流路部１５で流路の半径を小さくし、更に流路を絞り部材１６で絞ることにより加速させた渦巻き流路により強い遠心力を加える（矢印ｅ→ｆ方向）。
【００２０】
この強い遠心力を利用し、内側の流路で第２の遠心分離部１７で細塵を分離した（矢印ｈ方向）ゴミは第２の集塵部１２に溜められる。このように、二度の遠心分離を利用することで、きれいな空気のみが微細塵補集フィルター７、整流板８を通過して、電動送風機９へと流入する。
【００２１】
このように、電気掃除機の集塵部の構成を上記のようにすることで、第１回の遠心分離を行なった後のゴミ濃度が薄くなった気流を更に遠心分離をすることで、ゴミと空気の分離を促進するものである。
【実施例２】
【００２２】
２回の遠心分離を利用した電気掃除機において、それぞれの分離毎に集塵室を分けた構造の集塵部のゴミを捨てる際、集塵部ごと取り外してゴミ捨てを行なう構造では、主にゴミを集塵しない第２の集塵室のゴミも毎回捨てなければならず、また、取り外す部品自体も大きくなり無駄を生じている。このような構成では、２回分離し集塵室を分けているメリットを最大限活かすことができなくなる。
【００２３】
そこで、本発明の第２の実施態様は主にゴミを集塵している第１の集塵室のみを取り外す構造にすることを特徴とするものであり、図３はダストカップと取り外し可能な集塵部の構造図である。図３において、図２と同一物には同一の符号を付している。
【００２４】
ゴミは集塵部１の吸気流入口６から流入し（矢印ａ方向）、円形渦巻状の流路１３を通過することで遠心力が働き、第１の遠心分離部１４で外側の流路に殆どのゴミが第１の集塵室１１に分離される（矢印ｂ→ｃ→ｄ方向）。第１の遠心分離部１４で分離されなかった微細なごみは、狭い流路部１５で流路の半径を小さくし、更に流路を絞り部材１６で絞ることにより加速させた渦巻き流路により強い遠心力を加える（矢印ｅ→ｆ方向）。
【００２５】
この強い遠心力を利用し、内側の流路で第２の遠心分離部１７で細塵を分離した（矢印ｈ方向）ゴミは第２の集塵部１２に溜められる。このような構造では、殆どのゴミは第１の第１の集塵室１１に溜められている。この第１の集塵部１１は、図のように、ダストカップ１０から取り外す（９）ことができ、楽にゴミを捨てることができる。
【００２６】
このように、主にゴミを集塵している第１の集塵室のみを取り外す構造にすることにより、普段のゴミ捨て時に取り外す部品をコンパクト、軽量化することができ、無駄を省くことができる。このように、２回分離を利用して集塵室を分けているメリットを最大限活用することができる。
【実施例３】
【００２７】
次に、集塵部において、遠心分離を利用してゴミと空気を完全に分離するための本発明の他の実施形態を図４〜図７を参照して説明する。図４はダストカップ部の正面図、図５はダストカップ部の側面図、図６はダストカップ部の平面図、図７は第２の遠心分離部であるサイクロン部の詳細図である。図において、図１〜図３と同一物には同一の符号を付している。１８はメッシュ部、１９はウレタンフィルター、２０は第２の遠心分離部であるサイクロン部への吸気口である。
【００２８】
図４〜図６において、ゴミは集塵部の吸気流入口６から流入し、円形渦巻状の流路１３を通過することで遠心力が働き、第１の遠心分離部１４で殆どのゴミが第１の集塵室１１に分離される。第１の遠心分離部１４で分離されなかった微細なごみは、吸気通過口２０を通って第２の遠心分離部であるサイクロン部への導入される。
【００２９】
そこで、サイクロン構造を利用して強い遠心力を加えられ、この強い遠心力を利用し、第２の遠心分離部１７で分離されたゴミは第２の集塵部１２に溜められる。このように、二度の遠心分離を利用することで、きれいな空気のみがメッシュ部１８、ウレタンフィルター１９、微細塵補集フィルター７を通過し、電動送風機９へと流入する。また、第１の集塵室１１を通る空気もウレタンフィルター１９、微細塵補集フィルター７を通過し、電動送風機９へと流入する。
【００３０】
図７（Ａ）はサイクロン部の側面図、図７（Ｂ）はサイクロン部の正面図であり、これによる第２の遠心分離部であるサイクロン部の動作は次のとおりである。第１の遠心分離部で分離されなかった微細なごみは、吸気通過口２０から第２の遠心分離部１７の中でサイクロン構造を利用して強い遠心力を加えられ、分離されたゴミは第２の集塵部１２に溜められ、きれいな空気のみがメッシュ部１８を通って排出される。
【００３１】
以上のように、電気掃除機の集塵部を構成することで、第１の遠心分離を行なった後のゴミ濃度が薄くなった気流を、更にサイクロン構造を用いて遠心分離をすることで、ゴミと空気の分離を促進することができる。
【実施例４】
【００３２】
次に、ゴミの集塵室を別に有し、遠心分離を利用した電気掃除機では、遠心力でゴミを集塵室に分離されるときに、ゴミの体積と同じ量の空気が流路に戻ってくる空気の流れが発生する。この時、一度集塵室に分離されたゴミの一部が流路の舞い上がり、メッシュフィルタの目詰りの原因になり、電動送風機のモータに過大な負荷がかかるといった問題点があったので、それを解決するための本発明の第４の実施形態を示す。
【００３３】
図８はダストカップ部の第１の集塵室入口への弾性部材の配置した正面図である。図４と同一物には同一の符号を付しており、図４と異なる点は第１の集塵室１１の入口にゴム等の弾性部材からなる弁２１を設けたことである。
【００３４】
吸気流入口６から吸込まれたゴミは、円形渦巻状の流路１３を通過することで遠心力が働き、第１の遠心分離機構１４により分離され、第１の集塵室１１の入口のゴム等の弾性部材からなる弁２１を通過、し第１の集塵室１１に分離される。一度分離されたゴミは、弁２１により舞い上がりが押さえられる気流が発生するため、流路にゴミが戻って来ることはなく、きれいな空気のみがメッシュ部１８を通り、ウレタンフィルター１９、微細塵補集フィルター７を通り電動送風機９に流入する。
【００３５】
このように、本発明は、集塵室入口にゴム状の弁を設けることで、一度分離されたゴミの舞い上がりを押さえることができる。適度な弾性をもった素材の弁を用いることにより、集塵室から流路へのゴミの舞い上がりが抑制されるため、メッシュ部の目詰りが防止され、電動送風機９のモータへの負荷が軽減される。
【産業上の利用可能性】
【００３６】
本発明の二度の遠心分離の構造は、全てのサイクロン方式の電気掃除機におけるゴミ処理手段としては勿論のこと、他の分野のサイクロン方式による物品の分離技術にも応用できるものである。
【図面の簡単な説明】
【００３７】
【図１】本発明の電気掃除機の本体断面図。
【図２】本発明の第１の実施態様のダストカップ部の詳細図。
【図３】本発明の第２の実施態様のダストカップと取り外し可能な集塵部の構造図。
【図４】ダストカップ部の正面図。
【図５】ダストカップ部の側面図。
【図６】ダストカップ部の平面図。
【図７】第２の遠心分離部であるサイクロン部の詳細図。
【図８】ダストカップ部の第１の集塵室入口への弾性部材の配置図。
【符号の説明】
【００３８】
１            集塵部
２            電動送風機収納部
３            本体ケース
４            下ケース
５            車輪
６            吸気流入口
７            微細塵補集フィルター
８            整流板
９            電動送風機
１０          ダストカップ
１１          第１の集塵室
１２          第２の集塵室
１３          円形渦巻状の流路
１４          第１の遠心分離部
１５          狭い流路部
１６          流路絞り部材
１７          第２の遠心分離部
１８          メッシュ部
１９          ウレタンフィルター
２０          吸気通過口
２１          弁
【図１】
2005204805.tif 000003
【図２】
2005204805.tif 000004
【図３】
2005204805.tif 000005
【図４】
2005204805.tif 000006
【図５】
2005204805.tif 000007
【図６】
2005204805.tif 000008
【図７】
2005204805.tif 000009
【図８】
2005204805.tif 000010